(57)【要約】【課題】消費電力を低減するとともに、電源オンからランプの明るさが十分な明るさに達するまでの時間を短縮する。【解決手段】設定した電圧値に応じた光量で光を発光する光源４ａと、画像を形成する画像表示素子（ＤＭＤ１０ａ）と、を備え、光源４ａからの光を用いて画像表示素子を照明するとともに、画像表示素子で形成された画像を被投射面に投射する画像投射装置１であって、当該画像投射装置１の待機状態において起動する第一ＣＰＵ２０と、当該画像投射装置１の待機状態において起動しない第二ＣＰＵ２１と、を備え、待機状態において、当該画像投射装置１の起動要求がなされると、第一ＣＰＵ２０は、起動要求を検出し、光源４ａの光源電力供給部２４に対して初期電圧設定を行うとともに、光源４ａが該初期電圧設定で点灯した後に、第二ＣＰＵ２１を起動させる。【選択図】図５
2015215551.tif 000002
【特許請求の範囲】
【請求項１】
設定した電圧値に応じた光量で光を発光する光源と、
画像を形成する画像表示素子と、を備え、
前記光源からの光を用いて前記画像表示素子を照明するとともに、前記画像表示素子で形成された画像を被投射面に投射する画像投射装置であって、
当該画像投射装置の待機状態において起動する第一の制御部と、
当該画像投射装置の待機状態において起動しない第二の制御部と、を備え、
待機状態において、当該画像投射装置の起動要求がなされると、
前記第一の制御部は、
前記起動要求を検出し、
前記光源の電力供給回路に対して初期電圧設定を行うとともに、
前記光源が該初期電圧設定で点灯した後に、前記第二の制御部を起動させることを特徴とする画像投射装置。
【請求項２】
前記光源からの光路上に配置され、回転駆動しつつ光を分光するカラーホイールを備え、
前記第一の制御部は、
前記光源の電力供給回路への前記初期電圧設定の前に、前記カラーホイールを回転駆動させることを特徴とする請求項１に記載の画像投射装置。
【請求項３】
前記第一の制御部は、前記第二の制御部よりも熱設計電力の小さいマイクロプロセッサであることを特徴とする請求項１または２に記載の画像投射装置。
【請求項４】
前記第二の制御部の起動後は、該第二の制御部により画像の投射に係る制御を実行することを特徴とする請求項１から３までのいずれかに記載の画像投射装置。
【請求項５】
前記起動要求は、当該画像投射装置の本体操作部での電源オン操作であり、
前記第一の制御部は、前記本体操作部からの起動要求信号を受けて、前記起動要求を検出することを特徴とする請求項１から４までのいずれかに記載の画像投射装置。
【請求項６】
当該画像投射装置の遠隔操作手段からの制御信号を受信する受信部を備え、
前記起動要求は、前記遠隔操作手段での電源オン操作であり、
前記第一の制御部は、前記制御信号を受信した前記受信部からの起動要求信号を受けて、前記起動要求を検出することを特徴とする請求項１から４までのいずれかに記載の画像投射装置。
【請求項７】
当該画像投射装置の映像供給装置からの制御信号を受信する通信部を備え、
前記起動要求は、前記映像供給装置からの電源オン操作であり、
前記第一の制御部は、前記制御信号を受信した前記通信部からの起動要求信号を受けて、前記起動要求を検出することを特徴とする請求項１から４までのいずれかに記載の画像投射装置。
【請求項８】
設定した電圧値に応じた光量で光を発光する光源と、
画像を形成する画像表示素子と、を備え、
前記光源からの光を用いて前記画像表示素子を照明するとともに、前記画像表示素子で形成された画像を被投射面に投射する画像投射装置の制御方法であって、
当該画像投射装置は、待機状態において起動する第一の制御部と、待機状態において起動しない第二の制御部と、を備え、
待機状態において、当該画像投射装置の起動要求がなされると、
前記第一の制御部により、
前記起動要求を検出する処理と、
前記光源の電力供給回路に対して初期電圧設定を行う処理と、
前記光源が該初期電圧設定で点灯した後に、前記第二の制御部を起動させる処理と、を行うことを特徴とする画像投射装置の制御方法。
【発明の詳細な説明】
【技術分野】
【０００１】
本発明は、画像投射装置および画像投射装置の制御方法に関する。さらに詳述すると、画像投射装置の起動時の制御に関する。
【背景技術】
【０００２】
画像投射装置として広く知られたプロジェクタは、近来、液晶パネルの高解像化、ランプ（光源）の高効率化に伴う明るさの改善、低価格化などが進んでいる。例えば、ＤＭＤ（Digital  Micro-mirror  Device）を利用したＤＬＰ（Digital  Light  Processing）方式の小型軽量な画像投射装置が普及し、オフィスや学校のみならず家庭においても広くこれら画像投射装置が利用されるようになってきている。
【０００３】
従来の画像投射装置では、電源がオンとなりランプの点灯を開始してからランプの明るさが画像の投射に十分な明るさに到達するまでの時間（起動時間ともいう）がかかるという問題があった。
【０００４】
この点に関し、例えば特許文献１には、ランプ点灯時に発生する点灯ノイズの発生期間中でも起動処理を実行することで、発生期間を有効に利用し、起動時間を短縮する投射型表示装置が開示されている。
【０００５】
また、特許文献２には、電源ボタンが押されると、電源回路を起動させると共に、ランプの駆動制御をするランプバラスト回路に対してランプ初期電圧設定を行って、電源オンからランプの明るさが十分な明るさに達するまでの時間を短縮化する投射型映像表示装置が開示されている。
【発明の概要】
【発明が解決しようとする課題】
【０００６】
しかしながら、特許文献１，２の技術では、電源オンからランプの明るさが十分な明るさに達するまでの時間の短縮化が十分ではなく、検討の余地が残されていた。
【０００７】
特許文献２の投射型映像表示装置では、電源ボタンの押下の検出とランプバラスト回路の設定とを単一の制御マイコンで行っており、この制御マイコンは、映像信号調整回路、パネル調整回路、パネル駆動回路など投射型映像表示装置の各機能を制御するものとなっている。したがって、特許文献２においては、投射型映像表示装置がいわゆる待機状態にある場合においても、電源ボタンの押下の検出のために消費電力の高い制御マイコンが起動しており、待機時の消費電力が高くなってしまうという問題があった。
【０００８】
そこで本発明は、消費電力を低減するとともに、電源オンからランプの明るさが十分な明るさに達するまでの時間を短縮することができる画像投射装置を提供することを目的とする。
【課題を解決するための手段】
【０００９】
かかる目的を達成するため、本発明に係る画像投射装置は、設定した電圧値に応じた光量で光を発光する光源と、画像を形成する画像表示素子と、を備え、前記光源からの光を用いて前記画像表示素子を照明するとともに、前記画像表示素子で形成された画像を被投射面に投射する画像投射装置であって、当該画像投射装置の待機状態において起動する第一の制御部と、当該画像投射装置の待機状態において起動しない第二の制御部と、を備え、待機状態において、当該画像投射装置の起動要求がなされると、前記第一の制御部は、前記起動要求を検出し、前記光源の電力供給回路に対して初期電圧設定を行うとともに、前記光源が該初期電圧設定で点灯した後に、前記第二の制御部を起動させるものである。
【発明の効果】
【００１０】
本発明によれば、消費電力を低減するとともに、電源オンからランプの明るさが十分な明るさに達するまでの時間を短縮することができる。
【図面の簡単な説明】
【００１１】
【図１】本発明に係る画像投射装置の一実施形態を示す外観斜視図である。
【図２】画像投射装置の側面図であって、被照射面への投射状態を示した図である。
【図３】（Ａ）画像投射装置の外装カバーを外した状態を示す斜視図、（Ｂ）（Ａ）の丸囲み部分の拡大構成図である。
【図４】照明光学ユニット、投射光学ユニット、および光源ユニットの断面図である。
【図５】画像投射装置の構成を示すブロック図である。
【図６】画像投射装置が実行する起動処理の一例を示すフローチャートである。
【図７】画像投射装置が実行する起動処理の他の例を示すフローチャートである。
【図８】画像投射装置が実行する起動処理の他の例を示すフローチャートである。
【発明を実施するための形態】
【００１２】
以下、本発明に係る構成を図１から図８に示す実施の形態に基づいて詳細に説明する。
【００１３】
（画像投射装置の構成）
本実施形態に係る画像投射装置は、設定した電圧値に応じた光量で光を発光する光源（光源４ａ）と、画像を形成する画像表示素子（ＤＭＤ１０ａ）と、を備え、光源からの光を用いて画像表示素子を照明するとともに、画像表示素子で形成された画像を被投射面に投射する画像投射装置（画像投射装置１）であって、当該画像投射装置の待機状態において起動する第一の制御部（第一ＣＰＵ２０）と、当該画像投射装置の待機状態において起動しない第二の制御部（第二ＣＰＵ２１）と、を備え、待機状態において、当該画像投射装置の起動要求がなされると、第一の制御部は、起動要求を検出し、光源の電力供給回路（光源電力供給部２４）に対して初期電圧設定を行うとともに、光源が該初期電圧設定で点灯した後に、第二の制御部を起動させるものである。なお、括弧内は実施形態での符号、適用例を示す。本実施形態における「待機状態」とは、画像投射装置がＡＣ電源に接続されており、電源（主電源）がオフである低消費電力状態をいう。詳しくは、画像投射装置の主となる制御部（メインマイコン）の電源はオフであるが、少なくとも画像投射装置の起動要求を受け付けることができるハードウェアは稼働しており、起動要求を待機している状態をいう。
【００１４】
図１は、画像投射装置の一実施形態を示す外観斜視図である。また、図２は、画像投射装置の側面図であって、被投射面であるスクリーンへの投射状態を示した図である。
【００１５】
画像投射装置１は、パーソナルコンピュータなどの情報処理装置やビデオカメラなどの撮像装置等から入力される映像データを基に映像を生成し、その映像をスクリーン１５に投影表示する装置（プロジェクタ）である。
【００１６】
画像投射装置１は、装置内部に光源としてのランプや多数の電子基板を備えており、起動時には、装置の内部温度が上昇する。このため、画像投射装置１には、内部の構成部品が耐熱温度を超えないように、吸気口１１および排気口１２が設けられており、強制気流による空冷方式が一般的に採用されている。
【００１７】
図３（Ａ）は、画像投射装置１の外装カバー２を外した状態を示す斜視図である。また、図３（Ｂ）は図３（Ａ）の丸囲み部分で示す光学エンジン３と光源ユニット４の拡大構成図である。図３に示すように、画像投射装置１は、光学エンジン３および光源ユニット４を備えている。また、図４は、光学エンジン３を構成する照射光学ユニット３ａ、投射光学ユニット３ｂ、および光源ユニット４の上面から見た断面図である。
【００１８】
図３に示すように、吸気口１１、排気口１２の内側には、それぞれ吸気ファン１３、排気ファン１４が設けられており、吸気ファン１３から吸入した外気を排気ファン１４から排出することで、装置内の強制気流による空冷がなされる。
【００１９】
画像投射装置１においては、光源ユニット４の光源４ａ（ランプ４ａ）は、設定した電圧値に応じた光量で光（白色光）を発光し、光源４ａからの光（白色光）が光学エンジン３の照明光学ユニット３ａに照射される。照明光学ユニット３ａ内では、照射された白色光をＲＧＢに分光して、照射光学系により画像表示素子ユニット１０へ導き、変調信号に応じて画像形成する画像表示素子ユニット１０と投射光学ユニット３ｂによりスクリーン１５へ拡大投射する構成となっている。
【００２０】
光源ユニット４の光源４ａとしては、種々のランプを用いることができるが、例えば、アークランプを用いることができる。また、例えば、高圧水銀ランプを用いることが好ましい。また、光源ユニット４の側面には光源冷却手段としての冷却ファン１６が設けられている。
【００２１】
また、光学エンジン３の照明光学ユニット３ａは、光源４ａから照射された光を分光するカラーホイール（ＣＷ）５と、カラーホイール５から出射した光を照射光学系に導くライトトンネル６と、照射光学系としてのリレーレンズ７、平面ミラー８および凹面ミラー９と、を備えている。また、照明光学ユニット３ａ内には、画像表示素子ユニット１０が設けられる。カラーホイール５は、赤・青・緑などの色配分がされ、互いに異なった色の光を透過させる複数の色フィルタを回転軸周りに配した円盤状の部材である。
【００２２】
照明光学ユニット３ａでは、先ず、光源４ａからの白色光が、カラーホイール５で単位時間毎にＲＧＢの各色が繰り返す光に変換され出射される。次いで、板ガラスを張り合わせて筒状に構成されたライトトンネル６に、カラーホイール５から出射された光が導かれ伝送される。
【００２３】
次いで、ライトトンネル６から出射された光は、２枚のレンズを組み合わせてなるリレーレンズ７により、光の軸上色収差を補正しつつ集光される。また、リレーレンズ７から出射される光は、平面ミラー８および凹面ミラー９によって反射されて、複数のマイクロミラーからなる略矩形のミラー面を有し、映像データに基づいて各マイクロミラーが時分割駆動されることにより、所定の映像を形成するように投射光を加工して反射する画像表示素子としてのＤＭＤ１０ａを備えた画像表示素子ユニット１０に集光される。
【００２４】
ＤＭＤ１０ａにより、時分割で映像データに基づいて、複数のマイクロミラーが使用する光は投射レンズへ反射され、捨てる光はＯＦＦ光板へ反射される。画像表示素子ユニット１０で使用する光は投射光学ユニット３ｂへ反射し、投射光学ユニット３ｂ内の複数の投射レンズを通り拡大された映像光はスクリーン１５上へ拡大投影される。
【００２５】
（画像投射装置の要部構成）
図５は、画像投射装置１の要部構成を示す機能ブロック図である。画像投射装置１は、第一ＣＰＵ（Central  Processing  Unit）２０、第二ＣＰＵ２１、電源回路２２、カラーホイール駆動部（ＣＷ駆動部）２３、光源電力供給部２４、映像端子２５、映像信号処理部２６、ＤＭＤ駆動部２７、本体操作部２８、リモコン受信部（受信部）２９および通信部３０を備えている。
【００２６】
第一ＣＰＵ２０は、画像投射装置１が低消費電力の待機状態である場合に消費電力を低減することを主目的として搭載され、待機状態から画像投射装置１を起動させるための起動処理を実行する第一の制御部である。第一ＣＰＵ２０は、画像投射装置１にＡＣ電源が入力され、電源がオフである待機状態において起動している。
【００２７】
第一ＣＰＵ２０は、後述するように、待機状態においてユーザにより画像投射装置１を起動（電源オン）させるための操作（起動要求）が実行され、電源オンのための所定の制御信号（起動要求信号）を受けると、所定の処理を実行した後、第二ＣＰＵ２１を起動させる。
【００２８】
待機状態から電源オンさせる操作としては、本体操作部２８での操作、遠隔操作装置（リモコン）での操作、画像投射装置１に接続される映像供給装置からの操作がある。また、電源オンさせる起動要求がされると、第一ＣＰＵ２０は、本体操作部２８、リモコン受信部２９、通信部３０のいずれかから起動要求信号を受ける。
【００２９】
第二ＣＰＵ２１は、画像投射装置１が待機状態から起動した後（電源オンである場合）に、画像投射装置１の各部の機能を制御して、画像の投射を制御する第二の制御部である。第二ＣＰＵ２１は、第一ＣＰＵ２０からの起動命令を受けて起動するものであり、電源オフの待機状態では、起動していない。
【００３０】
第二ＣＰＵ２１は画像投射装置１の各部の機能制御用の制御部（メインマイコン）であり、その機能を実現するために周辺回路の駆動も必要となる。一方、第一ＣＰＵ２０は、待機状態からの起動処理のみを実行するものである。このため、第一ＣＰＵ２０は、第二ＣＰＵ２１よりも熱設計電力（ＴＤＰ）が小さく、第二ＣＰＵ２１よりも消費電力の小さい、超低消費電力型のマイクロプロセッサを用いることができる。消費電力量の違いは、画像投射装置１が備える機能によるが、例えば、待機状態からの起動要求信号の待ち受けを、第一ＣＰＵ２０で行う場合の消費電力量は０．２Ｗ程度であるのに対し、仮に第二ＣＰＵ２１で行う場合の消費電力量は１Ｗ程度となる程度の性能の異なるＣＰＵとすることが好ましい。
【００３１】
電源回路２２は、画像投射装置１の各部への電源を供給する電源回路であり、待機状態において、第一ＣＰＵ２０により立上要求信号を受け取ることで立ち上がり、光源電力供給部２４、カラーホイール駆動部２３などの各部へ電源を供給する。
【００３２】
カラーホイール駆動部２３は、カラーホイール５を回転駆動させる制御を行う。カラーホイール駆動部２３に対する電源は、電源回路２２から供給される。また、カラーホイール駆動部２３の制御は、待機状態からの起動処理においては第一ＣＰＵ２０が行うが、その他の場合は第二ＣＰＵ２１により制御される。
【００３３】
光源電力供給部（ランプバラスト回路）２４は、光源４ａに電力を供給する電力供給回路であって、光源４ａを所定の設定電圧値に設定する。光源４ａの光の強さは、光源電力供給部２４をＣＰＵで制御することにより変更される。
【００３４】
光源電力供給部２４に対する電源は、電源回路２２から供給される。また、光源電力供給部２４の制御は、待機状態からの起動処理においては第一ＣＰＵ２０が行うが、その他の場合は第二ＣＰＵ２１により制御される。
【００３５】
映像端子２５は、該端子に接続されたケーブルを介して映像供給装置から映像信号を受信する。映像供給装置としては、パーソナルコンピュータ（ＰＣ）などの情報処理装置や、ＤＶＤプレーヤーなどの再生装置が用いられる。また、セットトップボックスなどの変換装置を介しても良い。また、無線通信により、映像供給装置から映像信号を受信してもよい。
【００３６】
映像信号処理部２６は、映像供給装置からの映像信号について、映像のコントラスト調整、明るさ調整、シャープネス調整、スケーリング処理、メニュー情報の重畳表示（ＯＳＤ）などを行う。
【００３７】
ＤＭＤ駆動部２７は、画素毎に配置されたＤＭＤ１０ａのミラーをオンオフ制御してカラー映像を投影する。映像信号処理部２６からの映像信号は、第二ＣＰＵ２１を介し、ＤＭＤ１０ａが制御されることで、映像信号に基づいた画像が形成されて、投射光学ユニット３ｂ（レンズ）によりスクリーン１５に投射される。
【００３８】
本体操作部２８は、ユーザからの種々の操作要求を受け付けるものであり、画像投射装置１の外面に設けられる本体キー、状態を表示するＬＥＤ等によって構成される。本体キーには、画像投射装置１の電源をＯＮ／ＯＦＦする電源キー、各種設定を行うメニューキー、十字キー、決定キー、入力信号の切替を行うインプットキー等が設けられている。本体操作部２８は、待機状態において、電源オンの操作を受け付けると、起動要求信号を第一ＣＰＵ２０に送る。
【００３９】
リモコン受信部２９は、遠隔操作装置であるリモコンからの操作信号を赤外線通信などにより受信する。なお、リモコンには、本体キーと同様のキーが設けられている。リモコン受信部２９は、待機状態で電源オンの操作信号を受信すると、起動要求信号を第一ＣＰＵ２０に送る。
【００４０】
通信部３０は、画像投射装置１にＬＡＮケーブル、ＵＳＢケーブル、ＨＤＭＩ（登録商標）ケーブル、ＲＳ２３２Ｃケーブルなどを介して接続された映像供給装置との通信部である。通信部３０は、映像供給装置にて画像投射装置１の電源オン操作がされると、電源オンの操作信号を受信して、起動要求信号を第一ＣＰＵ２０に送る。
【００４１】
（画像投射装置の制御）
以下、画像投射装置の制御について説明する。図６は画像投射装置１の起動処理の一例を示すフローチャートである。図６では、本体操作部２８から起動要求を受ける場合について説明する。
【００４２】
待機状態では、第一ＣＰＵ２０が起動し、第二ＣＰＵ２１は起動していない。第一ＣＰＵ２０にてユーザによる起動要求を待ちうけている状態である（Ｓ１０１）。
【００４３】
この待機状態において、ユーザが本体操作部２８の電源ボタンを押下すると（Ｓ１０２）、第一ＣＰＵ２０は、本体操作部２８からの起動要求信号を受け取る（Ｓ１０３）。
【００４４】
第一ＣＰＵ２０は、起動要求信号を受け取ると、電源回路２２を立ち上げ、カラーホイール駆動部２３、光源電力供給部２４を含む装置各部に電力が供給される（Ｓ１０４）。
【００４５】
次いで、第一ＣＰＵ２０は、カラーホイール駆動部２３を制御して、カラーホイール５を回転駆動させる（Ｓ１０５）。
【００４６】
次いで、第一ＣＰＵ２０は、光源電力供給部２４を立ち上げ、所定のランプ初期電圧値を設定し、ランプ４ａに電力を供給する（Ｓ１０６）。
【００４７】
ここで、ランプ点灯制御（Ｓ１０６）よりカラーホイールの回転駆動（Ｓ１０５）を先に行うのは、カラーホイール５が停止した状態でカラーホイール５に強い光を当てるとカラーホイール５が焦げ付く可能性があるためである。
【００４８】
ランプ４ａがランプ初期電圧値で点灯した後（Ｓ１０７）、第一ＣＰＵ２０は、第二ＣＰＵ２１を起動させる（Ｓ１０８）。
【００４９】
以上説明した起動処理（Ｓ１０１〜Ｓ１０８）が完了し、第二ＣＰＵ２１が起動した後は、本体操作部２８からの操作要求は、第一ＣＰＵ２０ではなく第二ＣＰＵ２１が受け取り、第二ＣＰＵ２１にて各種の制御が行なわれる。
【００５０】
図７は画像投射装置１の起動処理の他の例を示すフローチャートである。図７では、遠隔操作装置にて電源オン操作がされて、遠隔操作装置から起動要求を受ける場合について説明する。
【００５１】
待機状態では、第一ＣＰＵ２０が起動し、第二ＣＰＵ２１は起動していない。第一ＣＰＵ２０にてユーザによる起動要求を待ちうけている状態である（Ｓ２０１）。
【００５２】
この待機状態において、ユーザがリモコンの電源ボタンを押下すると（Ｓ２０２）、リモコン受信部２９は、電源オンの操作信号を受信して、第一ＣＰＵ２０は、リモコン受信部２９からの起動要求信号を受け取る（Ｓ２０３）。以降の第一ＣＰＵ２０の処理は、Ｓ１０４〜Ｓ１０８と同様である（Ｓ２０４〜Ｓ２０８）。
【００５３】
図８は画像投射装置１の起動処理の他の例を示すフローチャートである。図８では、ＰＣなどの映像供給装置にて画像投射装置１の電源オン操作がされて、映像供給装置から起動要求を受ける場合について説明する。
【００５４】
待機状態では、第一ＣＰＵ２０が起動し、第二ＣＰＵ２１は起動していない。第一ＣＰＵ２０にてユーザによる起動要求を待ちうけている状態である（Ｓ３０１）。
【００５５】
この待機状態において、ユーザが映像供給装置を操作して、画像投射装置１の電源オン操作を実行すると（Ｓ３０２）、通信部３０は、電源オンの操作信号を受信して、第一ＣＰＵ２０は、通信部３０からの起動要求信号を受け取る（Ｓ３０３）。以降の第一ＣＰＵ２０の処理は、Ｓ１０４〜Ｓ１０８と同様である（Ｓ３０４〜Ｓ３０８）。
【００５６】
なお、画像投射装置１の第一ＣＰＵ２０は、待機状態において、本体操作部２８、リモコン受信部２９、通信部３０のうちから最初に起動要求信号を受け取った手段からの要求に応じて、上記起動処理を実行するものである。また、第二ＣＰＵ２１の起動後は、本体操作部２８、リモコン受信部２９、通信部３０からの各種信号は、第二ＣＰＵ２１が受信する。
【００５７】
以上説明したように、本実施形態に係る画像投射装置１は、待機状態では、メインマイコン（第二ＣＰＵ２１）を非起動とし、起動要求信号は待機状態で起動している低消費電力型のマイコン（第一ＣＰＵ２０）で検出して、ランプの初期電圧設定を実行するものである。したがって、消費電力を低減するとともに、電源オンからランプの明るさが十分な明るさに達するまでの時間を短縮することができる。
【００５８】
すなわち、待機状態での起動要求をメインマイコンで待ち受ける構成では、待機時の消費電力量が大きくなってしまうのに対し、本実施形態に係る画像投射装置１は、低消費電力型のマイコンで待ち受けているため、待機時の消費電力量を抑制することができる。待機状態での消費電力量に規制があるような場合に特に有効である。
【００５９】
また、メインマイコンのみを備える構成として、電源ボタンが押下されると電源回路を起動させるとともに、ランプ初期電圧設定を行うという構成では、メインマイコンが電気的に起動し、メインマイコンのプログラムが起動し、プログラムが動作するための初期化処理を行う、という手順が必要であり、その分の時間がかかるが、本実施形態に係る画像投射装置１では、待機状態でも低消費電力型のマイコンは起動状態であるので、メインマイコンが起動する時間、プログラムが起動する時間・各種初期化の時間分（例えば、１〜２秒程度）の電源オンからランプ点灯までの起動時間の短縮を図ることができる。
【００６０】
尚、上述の実施形態は本発明の好適な実施の例ではあるがこれに限定されるものではなく、本発明の要旨を逸脱しない範囲において種々変形実施可能である。
【符号の説明】
【００６１】
１  画像投射装置
２  外装カバー
３  光学エンジン
３ａ  照明光学ユニット
３ｂ  投射光学ユニット
４  光源ユニット
４ａ  ランプ（光源）
５  カラーホイール
６  ライトトンネル
７  リレーレンズ
８  平面ミラー
９  凹面ミラー
１０  画像表示素子ユニット
１０ａ  ＤＭＤ
１１  吸気口
１２  排気口
１３  吸気ファン
１４  排気ファン
１５  スクリーン
１６  冷却ファン
２０  第一ＣＰＵ（第一の制御部）
２１  第二ＣＰＵ（第二の制御部）
２２  電源回路
２３  カラーホイール駆動部（ＣＷ駆動部）
２４  光源電力供給部
２５  映像端子
２６  映像信号処理部
２７  ＤＭＤ駆動部
２８  本体操作部
２９  リモコン受信部
３０  通信部
【先行技術文献】
【特許文献】
【００６２】
【特許文献１】特開２０１０−１６０１９５号公報
【特許文献２】特許第４６１９３１０号公報
【図４】
2015215551.tif 000003
【図５】
2015215551.tif 000004
【図６】
2015215551.tif 000005
【図７】
2015215551.tif 000006
【図８】
2015215551.tif 000007
【図１】
2015215551.tif 000008
【図２】
2015215551.tif 000009
【図３】
2015215551.tif 000010